(57)【特許請求の範囲】
【請求項１】
有底筒状に形成された容器本体（２）と、前記容器本体（２）に装着されて該容器本体（２）の開口を覆う隔壁部材（３）と、内容物が吐出される吐出孔（４１ｂ）を有し且つ前記吐出孔（４１ｂ）から吐出された内容物を受ける受皿面（４１ａ，５１ａ）を一体として又は別部材として備えるとともに昇降自在に設けられた受皿本体（４１）と、前記隔壁部材（３）に設けられて前記受皿本体（４１）を付勢する付勢部材（１５）と、前記受皿本体（４１）が下降したときに、前記容器本体（２）の収容空間（７）内に収容されている内容物を吸引して前記吐出孔（４１ｂ）を介して外部に導くポンプ機構（Ａ）と、有する受皿付きポンプ容器であって、
前記受皿面（４１ａ）上にシート部材（３０）を配置すると共に、前記受皿面（４１ａ）の表面と前記シート部材（３０）の外周端（３１）とが接触する部分に、内容物を前記吐出孔（４１ｂ）から前記受皿面（４１ａ）の表面上に吐出させる吐出口（４８）を有し、
前記受皿本体（４１）の軸心（Ｏ）側に固定部（４６）を設け、肉薄円形状に形成したシート部材（３０）の中心部側を前記固定部（４６）の上面に固定して固定端側とすると共に、自由端側となる前記シート部材（３０）の外周端（３１）を湾曲凹面状に形成された前記受皿面（４１ａ）の表面に接するように配置したことを特徴とする受皿付きポンプ容器。
【請求項２】
円盤状の保持部（５１）の下面に垂下設された支柱部（５２）を吐出孔（４１ｂ）に挿入して保持部材（５０）を構成し、前記保持部（５１）の下面を肉薄円形状に形成したシート部材（３０）の内周端（３３）を固定する固定部（４６）とした請求項１記載の受皿付きポンプ容器。
【請求項３】
有底筒状に形成された容器本体（２）と、前記容器本体（２）に装着されて該容器本体（２）の開口を覆う隔壁部材（３）と、内容物が吐出される吐出孔（４１ｂ）を有し且つ前記吐出孔（４１ｂ）から吐出された内容物を受ける受皿面（４１ａ，５１ａ）を一体として又は別部材として備えるとともに昇降自在に設けられた受皿本体（４１）と、前記隔壁部材（３）に設けられて前記受皿本体（４１）を付勢する付勢部材（１５）と、前記受皿本体（４１）が下降したときに、前記容器本体（２）の収容空間（７）内に収容されている内容物を吸引して前記吐出孔（４１ｂ）を介して外部に導くポンプ機構（Ａ）と、有する受皿付きポンプ容器であって、
前記受皿面（４１ａ）上にシート部材（３０）を配置すると共に、前記受皿面（４１ａ）の表面と前記シート部材（３０）の内周端（３３）とが接触する部分に、内容物を前記吐出孔（４１ｂ）から前記受皿面（４１ａ）の表面上に吐出させる吐出口（４８）を有し、
前記受皿本体（４１）の外周端に固定部（４６）を設け、肉薄リング状に形成したシート部材（３０）の外周端（３１）を前記固定部（４６）の上面に固定して固定端側とすると共に、自由端側となる前記シート部材（３０）の内周端（３３）を受皿面（４１ａ）の表面に接するように配置し、
大径円盤状の上面に設けられた受皿面（５１ａ）及び該受皿面（５１ａ）の外周側に形成された溝部（５５）を有する保持部（５１）と、該保持部（５１）の下面に垂下設された支柱部（５２）とを備えて保持部材（５０）を構成し、前記シート部材（３０）を前記溝部（５５）と対向配置すると共に前記シート部材（３０）の内周端（３３）を溝部（５５）の内周端（５５ａ）よりも軸心（Ｏ）側の位置で受皿面（５１ａ）の表面に接するように配置したことを特徴とする受皿付きポンプ容器。
【請求項４】
吐出口（４８）が受皿面（４１ａ、５１ａ）上にリング状に形成される請求項１乃至３のいずれか一項に記載の受皿付きポンプ容器。
【請求項５】
容器本体（２）の内部に昇降可能に設けられ、隔壁部材（３）との間に内容物の収容空間（７）を区画形成する中皿（６）を有する請求項１乃至４のいずれか一項に記載の受皿付きポンプ容器。
【請求項６】
ポンプ機構（Ａ）が、隔壁部材（３）の上面に設けられ、内側部分が流入孔（１１ｃ）に連なるシリンダ（１０）と、内側に流入室（１３）を区画形成するとともに該流入室（１３）を外部に連通させる流入孔（１１ｃ）を備えた有底円筒状に形成され、前記シリンダ（１０）の内側に昇降自在に収容されて前記隔壁部材（３）との間に前記流入孔（１１ｃ）に連なる加圧室（１２）を区画形成するピストンガイド（１１）と、前記隔壁部材（３）に装着され、前記流入孔（１１ｃ）を覆って前記加圧室（１２）から前記収容空間（７）に向けた内容物の流れを阻止するとともに前記収容空間（７）から前記加圧室（１２）に向けた内容物の流れを許容する逆止弁（２０）と、前記シリンダ（１０）の内面に摺動可能に前記ピストンガイド（１１）に装着され、該ピストンガイド（１１）が下降すると前記流入孔（１１ｃ）を開き、前記ピストンガイド（１１）が上昇すると前記流入孔（１１ｃ）を閉じるピストン（２１）と、を有する請求項１乃至５のいずれか一項に記載の受皿付きポンプ容器。
【発明の詳細な説明】
【技術分野】
【０００１】
本発明は、容器本体に収容された内容物を受皿部材の受皿面に吐出する受皿付きポンプ容器に関する。
【背景技術】
【０００２】
従来から、例えばリキットファンデーションやクレンジングクリーム等の比較的粘度の高い内容物を収容する容器としては、吐出された内容物をスポンジ等にとって使用し易いことから、受皿部材を押し下げ操作することにより容器本体に収容された内容物を受皿部材に開口する吐出孔から当該受皿部材に向けて吐出させることができる受皿付きポンプ容器が多く用いられている（例えば特許文献１参照）。
【先行技術文献】
【特許文献】
【０００３】
【特許文献１】特許第４１１２１６３号公報
【発明の概要】
【発明が解決しようとする課題】
【０００４】
しかしながら、上記従来の受皿付きポンプ容器は、吐出孔が常に受皿部材に開口し、オーバーキャップが閉じられることで閉塞される構成となっているので、吐出孔から空気が流入し易いものであった。そのため、例えば空気に触れることによって固化し易い内容物を収容した際に、内容物が吐出孔を塞ぎ吐出不良を生じるおそれがあり、また、空気に触れることで効能が薄れる内容物を収容すると当該内容物の劣化を生じるおそれがあるなどの問題点があった。
【０００５】
本発明は、このような問題点を解決することを課題とするものであり、その目的は、吐出孔からの空気の流入を確実に防止して内容物を空気に触れさせることなく収容することができる受皿付きポンプ容器を提供することにある。
【課題を解決するための手段】
【０００６】
本発明の受皿付きポンプ容器は、有底筒状に形成された容器本体と、容器本体に装着されて容器本体の開口を覆う隔壁部材と、内容物が吐出される吐出孔を有し且つ吐出孔から吐出された内容物を受ける受皿面を一体として又は別部材として備えるとともに昇降自在に設けられた受皿本体と、隔壁部材に設けられて受皿本体を付勢する付勢部材と、受皿本体が下降したときに容器本体の収容空間内に収容されている内容物を吸引して吐出孔を介して外部に導くポンプ機構と、有する受皿付きポンプ容器であって、受皿面上にシート部材を配置すると共に、受皿面の表面とシート部材の外周端とが接触する部分を、内容物を吐出孔から受皿面の表面上に吐出させる吐出口を有し、
受皿本体の軸心側に固定部を設け、肉薄円形状に形成したシート部材の中心部側を固定部の上面に固定して固定端側とすると共に、自由端側となるシート部材の外周端を湾曲凹面状に形成された受皿面の表面に接するように配置したことを特徴とする、と云うものである。
【０００８】
また本発明の受皿付きポンプ容器は、上記構成において、円盤状の保持部の下面に垂下設された支柱部を吐出孔に挿入して保持部材を構成し、保持部の下面を肉薄円形状に形成したシート部材の内周端を固定する固定部としたものが好ましい。
【０００９】
本発明の別の受皿付きポンプ容器は、有底筒状に形成された容器本体と、容器本体に装着されて容器本体の開口を覆う隔壁部材と、内容物が吐出される吐出孔を有し且つ吐出孔から吐出された内容物を受ける受皿面を一体として又は別部材として備えるとともに昇降自在に設けられた受皿本体と、隔壁部材に設けられて受皿本体を付勢する付勢部材と、受皿本体が下降したときに容器本体の収容空間内に収容されている内容物を吸引して吐出孔を介して外部に導くポンプ機構と、有する受皿付きポンプ容器であって、受皿面上にシート部材を配置すると共に、受皿面の表面とシート部材の外周端とが接触する部分を、内容物を吐出孔から受皿面の表面上に吐出させる吐出口を有し、
受皿本体の外周端に固定部を設け、肉薄リング状に形成したシート部材の外周端を固定部の上面に固定して固定端側とすると共に、自由端側となるシート部材の内周端を受皿面の表面に接するように配置し、
大径円盤状の上面に設けられた受皿面及び受皿面の外周側に形成された溝部を有する保持部と、保持部の下面に垂下設された支柱部とを備えて保持部材を構成し、シート部材を溝部と対向配置すると共にシート部材の内周端を溝部の内周端よりも軸心側の位置で受皿面の表面に接するように配置したことを特徴とする、と云うものである。
【００１０】
また本発明の受皿付きポンプ容器は、上記構成において、大径円盤状の上面に設けられた受皿面及び受皿面の外周側に形成された溝部を有する保持部と、保持部の下面に垂下設された支柱部とを備えて保持部材を構成し、シート部材を溝部と対向配置すると共にシート部材の内周端を溝部の内周端よりも軸心側の位置で受皿面の表面に接するものが好ましい。
【００１１】
本発明の別の構成は、上記いずれかに記載の受皿付きポンプ容器において、吐出口が受皿面上にリング状に形成されるものが好ましい。
【００１２】
また本発明の別の構成は、上記いずれかに記載の受皿付きポンプ容器において、容器本体の内部に昇降可能に設けられ、隔壁部材との間に内容物の収容空間を区画形成する中皿を有するものが好ましい。
【００１３】
さらに本発明の別の構成は、上記いずれかに記載の受皿付きポンプ容器において、ポンプ機構が、隔壁部材の上面に設けられ、内側部分が流入孔に連なるシリンダと、内側に流入室を区画形成するとともに流入室を外部に連通させる流入孔を備えた有底円筒状に形成され、シリンダの内側に昇降自在に収容されて隔壁部材との間に流入孔に連なる加圧室を区画形成するピストンガイドと、隔壁部材に装着され、流入孔を覆って加圧室から収容空間に向けた内容物の流れを阻止するとともに収容空間から加圧室に向けた内容物の流れを許容する逆止弁と、シリンダの内面に摺動可能にピストンガイドに装着され、ピストンガイドが下降すると流入孔を開き、ピストンガイドが上昇すると流入孔を閉じるピストンと、を有するものが好ましい。
【発明の効果】
【００１４】
本発明によれば、不使用時には吐出口がシール本体によって確実に閉塞されるので、吐出口からの空気の流入を確実に防止して、内容物を空気に触れさせることなく収容することができる。したがって、例えば空気に触れることによって固化し易い内容物や、空気に触れることで効能が薄れる内容物などを、吐出不良や内容物の劣化を生じさせることなく収容することができる。このように、本発明によれば、吐出口からの空気の流入を確実に防止して内容物を空気に触れさせることなく収容することができる受皿付きポンプ容器を提供することができる。
【図面の簡単な説明】
【００１５】
【図１】本発明の第１の実施の形態である受皿付きポンプ容器の半断面図である。
【図２】図１に示す受皿付きポンプ容器の要部を拡大して示す断面図である。
【図３】図２に示す受皿付きポンプ容器の受皿部材を押し下げた状態を示す断面図である。
【図４】図２又は図３に示す受皿付きポンプ容器においてキャップを外した状態を示す平面図である。
【図５】本発明の第２の実施の形態としての受皿付きポンプ容器の要部を拡大して示す断面図である。
【図６】図５の変形例を示す受皿付きポンプ容器の拡大断面図である。
【図７】本発明の第３の実施の形態としての受皿付きポンプ容器の要部を拡大して示す断面図である。
【図８】図７に示す受皿付きポンプ容器においてキャップを外した状態を示す平面図である。
【発明を実施するための形態】
【００１６】
以下、図面を参照して、本発明をより詳細に例示説明する。
【００１７】
図１に示すように、本発明の第１の実施の形態である受皿付きポンプ容器１は容器本体２を備えている。容器本体２は、底部２ａと、底部２ａの外周縁から上方に延びる筒状の側壁部２ｂとを備えた有底筒状に形成され、その上端が開口している。図示する場合では、容器本体２は樹脂材料により有底円筒状のジャー（広口瓶）形状に形成されている。なお、容器本体２は樹脂製に限らず、ガラス製や金属製とすることもできる。容器本体２の底部２ａには、外気取り込み用の通気孔２ｃが設けられている。
【００１８】
容器本体２には、例えば樹脂製とされる隔壁部材３が装着され、容器本体２の開口はこの隔壁部材３によって覆われている。図２に示すように、隔壁部材３は略円板状の隔壁本体３ａと、隔壁本体３ａの外周縁から上方に延びる円筒状の装着筒部３ｂとを有し、装着筒部３ｂから突出する段部３ｃが容器本体２の側壁部２ｂの上端に当接して容器本体２に装着されている。なお、段部３ｃと側壁部２ｂの上端との間には内容物の漏れ出しを防止する環状シール４を装着するのが好ましい。装着筒部３ｂの上端側は固定部材５のＵ字状部５ａに嵌合固定されており、固定部材５が雌ねじ部５ｂにおいて容器本体２の側壁部２ｂに設けられた雄ねじ部２ｄにねじ結合することにより、隔壁部材３は容器本体２に固定されている。
【００１９】
隔壁本体３ａの軸心Ｏには、この隔壁本体３ａを表裏（上下）に貫通するように内容物の流出孔３ｄが設けられている。
【００２０】
図１に示すように、容器本体２の内部には、例えば樹脂製とされる中皿６が設けられている。中皿６は外形略円盤状に形成されており、その外周縁には容器本体２の側壁部２ｂの内周面に全周に亘って当接するシール部６ａが一体に設けられている。中皿６はシール部６ａが側壁部２ｂの内周面に対して摺動することで容器本体２の内部で上下方向に移動自在つまり昇降可能となっている。容器本体２の内部の隔壁部材３と中皿６との間に区画形成される部分は収容空間７となっており、容器本体２はこの収容空間７に内容物を収容するようになっている。この収容空間７は、中皿６が昇降することにより、その容積が増減される。
【００２１】
容器本体２の収容空間７に収容される内容物は、例えばクレンジングクリーム等のクリーム状の化粧料やゲル状の化粧料など、比較的粘度の高い内容物とするのが好ましい。
【００２２】
図２に示すように、隔壁部材３の上面にはシリンダ１０が設けられている。シリンダ１０は円筒状に形成され、円形に形成された流出孔３ｄと同軸に配置されて当該流出孔３ｄを囲っている。つまり、シリンダ１０の内側部分の空間は流出孔３ｄに連なっている。なお、図示する場合では、シリンダ１０は隔壁部材３と一体に形成されているが、シリンダ１０を隔壁部材３とは別体に形成されて隔壁部材３に固定される構成とすることもできる。
【００２３】
シリンダ１０の内側には、例えば樹脂製とされるピストンガイド１１が昇降自在に収容されている。このピストンガイド１１はシリンダ１０と協働して容器本体２の収容空間７から内容物を吸引して外部に導くためのポンプ機構Ａとして機能する。図２に示すように、ピストンガイド１１は円板状の加圧壁部１１ａと、加圧壁部１１ａの外周縁から少し径方向内側の部分から上方に向けて延びる側壁部１１ｂとを備えた有底円筒状に形成されている。このようなピストンガイド１１がシリンダ１０に配置されることにより、ピストンガイド１１の加圧壁部１１ａと隔壁部材３の隔壁本体３ａとの間には、流出孔３ｄに連なる加圧室１２が区画形成されている。
【００２４】
ピストンガイド１１の内側は、当該ピストンガイド１１により区画形成された流入室１３となっている。また、ピストンガイド１１の側壁部１１ｂには、流入室１３を加圧室１２に連通させる流入孔１１ｃが設けられている。
【００２５】
ピストンガイド１１の上部には有頂円筒形状からなる樹脂製の受皿部材４０が設けられている。図２に示すように、受皿部材４０の上面には中心部側から周縁部に向かうほど徐々に浅くなる湾曲凹面状の受皿面４１ａを有する受皿本体４１を備えており、この受皿本体４１の中央の上面には凸円形状からなる固定部４６が突設されている。図４に示すように、固定部４６の表面には例えば十字状の流出溝４７が形成されており、この流出溝４７の中心には受皿本体４１を垂直方向に貫通する吐出孔４１ｂが穿設されている。
また受皿本体４１の下面には、係合部４４とピストンガイド１１の上端に嵌合固定される支持壁４５とが同心円状に形成され、外周縁は下方に向けて突出する環状係止部４３が夫々一体に形成されている。
【００２６】
受皿本体４１の下面と隔壁本体３ａの上面との間には付勢部材１５が設けられている。本実施の形態においては、付勢部材１５は圧縮コイルばねとなっており、付勢部材１５の弾性力は受皿本体４１を介してピストンガイド１１に伝達されるようになっている。つまり、受皿本体４１は、付勢部材１５により上方に向けて付勢されている。隔壁本体３ａの上面にはシリンダ１０よりも外周側に当該シリンダ１０と同軸に円筒状の支持筒部１６が一体に設けられ、付勢部材１５の下端側はこの支持筒部１６の外側に装着されて当該支持筒部１６により径方向位置が規定されている。また付勢部材１５の上端側は受皿本体４１の環状係止部４３により径方向位置が規定されている。
【００２７】
なお、図示する場合では、付勢部材１５を、ピストンガイド１１に固定された受皿部材４０の受皿本体４１と隔壁本体３ａとの間に設けるようにしているが、ピストンガイド１１を上方に向けて付勢することができれば、例えば隔壁本体３ａとピストンガイド１１との間に設け、ピストンガイド１１に固定された他の部材と隔壁本体３ａとの間に設け、あるいはピストンガイド１１と隔壁部材３に支持される他の部材との間に設けるなど、種々の構成を採用することができる。また、付勢部材１５は圧縮コイルばねに限らず、隔壁部材３とピストンガイド１１との間に設けられてピストンガイド１１を上方に付勢することができるものであれば、板ばねやゴム等の弾性体など種々の構成のものを用いることができる。
【００２８】
隔壁部材３には流出孔３ｄを開閉する逆止弁２０が装着されている。この逆止弁２０は樹脂製となっており、図２に示すように、シリンダ１０の内面に嵌合固定される環状の基部２０ａと、この基部２０ａに弾性変形可能な複数の連結片２０ｂを介して連結される円板状の弁体２０ｃとを備えている。例えば、逆止弁２０は、３本のクランク状の連結片２０ｂによって弁体２０ｃが基部２０ａに連結された３点弁に構成することができる。通常状態（内容物を吐出させる吐出動作が行われていない状態）においては、逆止弁２０は、弁体２０ｃが隔壁本体３ａの上面側から流出孔３ｄを覆って当該流出孔３ｄを閉塞し、加圧室１２から収容空間７に向けた内容物の流れを阻止している。一方、逆止弁２０は、収容空間７から加圧室１２に向けた内容物の流れに対しては、連結片２０ｂの変形により弁体２０ｃが隔壁本体３ａの上面に対して上方に移動して流出孔３ｄを開き、当該内容物の流れを許容する。
【００２９】
ピストンガイド１１にはピストン２１が装着されている。このピストン２１はシリンダ１０の内面に対して摺動可能となっており、ピストンガイド１１により案内されて、ピストンガイド１１が下降すると流入孔１１ｃを開き、ピストンガイド１１が上昇すると流入孔１１ｃを閉じるように作動する。より具体的には、図２に示すように、ピストン２１は弾性体により断面Ｈ形状のシール体に形成されており、その外周側においてシリンダ１０の内面に摺接するとともに、ピストンガイド１１の加圧壁部１１ａと支持壁４５の下端との間でピストンガイド１１に対して上下方向に移動自在となっている。そして、ピストンガイド１１が下降すると、ピストン２１は加圧壁部１１ａも下方に移動することによりピストン２１と離間して流入孔１１ｃを開き、当該流入孔１１ｃを介して流入室１３を加圧室１２に連通させる。一方、ピストンガイド１１が上昇すると、ピストン２１が加圧壁部１１ａに当接して流入孔１１ｃを閉じ、流入室１３と加圧室１２との間の連通を遮断する。なお、符号２２はシリンダ１０と支持筒部１６との間に嵌合固定されてピストン２１の上側の移動ストローク端を規制する規制部材である。
【００３０】
受皿部材４０の固定部４６の表面にはシート部材３０が固定されている。シート部材３０は、肉薄円形状からなるフィルムシートなどで形成されており、このシート部材３０の中央部の下面と固定部４６の表面とが固定されている。ただし、シート部材３０と流出溝４７とは未固定の状態が維持されている。このようなシート部材３０の固定部４６表面への固定は、例えば超音波やレーザーを用いた溶着固定、ヒートシールによる熱溶着固定、あるいはホットメルト接着剤やその他の接着剤による接着固定など公知の手段を用いることが可能である。
【００３１】
図４に示すように、シート部材３０は固定部４６よりも大きな径寸法を有している。図２及び図３に示すように、シート部材３０の中心部側は固定部４６の表面に固定された固定端の状態にあり、外周端３１側は片持ち支持された自由端の状態にあって湾曲凹面状の受皿面４１ａに対してリング状に接することが可能となっている。すなわち、受皿本体４１の湾曲凹面状の受皿面４１ａとシート部材３０の外周端３１とがリング状に対向する部分が受皿付きポンプ容器１の吐出口４８を構成しており、シート部材３０の外周端３１が受皿面４１ａに接することにより、リング状の吐出口４８が閉塞される仕組みとなっている。なお、またシート部材３０の下面と受皿面４１ａとの間には湾曲凹面形状に倣う隙間Ｓが形成され、この隙間Ｓと中央の吐出孔４１ｂとは流出溝４７を介して連通している。
【００３２】
受皿本体４１の外周縁には下方に向けて延びる円筒状のガイド壁４２が一体に設けられている。ガイド壁４２の外周面は固定部材５のＵ字状部５ａの内周面に摺接可能となっており、受皿部材４０はＵ字状部５ａの内周面に沿って上下方向に移動自在つまり昇降自在となっている。なお、ガイド壁４２の下端には径方向外側に向けて突出する係止突起４２ａが一体に設けられ、この係止突起４２ａが固定部材５のＵ字状部５ａの下端に係合することにより受皿部材４０の抜け出しが防止されるようになっている。
【００３３】
図２に示すように、受皿本体４１の下面に設けられた支持壁４５と係合部４４との間にピストンガイド１１の上端が係合している。このような構成により、受皿部材４０の受皿本体４１を下方に向けて押し下げ操作することで、受皿本体４１を図２に示す上昇位置から図３に示す下降位置まで移動させることができる。このとき、受皿本体４１に加えられる押し下げ力がピストンガイド１１に伝達されことになる。
【００３４】
図１に示すように、容器本体２には受皿部材４０及びシート部材３０を覆うキャップＣを取り付けることができる。このキャップＣは、例えばＵ字状部５ａの外周面にアンダーカット係合することにより容器本体２に着脱自在に取り付けられる構成とすることができるが、ねじ結合等の他の手段によって容器本体２に着脱自在に装着される構成とすることもできる。
【００３５】
このような構成の受皿付きポンプ容器１では、受皿部材４０が上昇位置にある通常状態から、受皿本体４１を下方に押し下げ操作してポンプ機構Ａを作動させることにより、すなわちピストンガイド１１を作動させ、当該ピストンガイド１１、シリンダ１０及びピストン２１によるポンプ機構Ａの動作により、容器本体２の収容空間７に収容されている内容物を受皿本体４１の受皿面４１ａに吐出させることができる。
【００３６】
まず、受皿本体４１が使用者等によって押し下げ操作されると、その押し下げ力が受皿本体４１に作用するが、受皿本体４１は付勢部材１５の弾性力に抗して図１、図２に示す上昇位置から図３に示す下降位置にまで押し下げられる。このとき、ピストンガイド１１が受皿本体４１とともに下降してポンプ機構Ａの動作が開始される。
【００３７】
すなわち、上昇位置にある通常状態では逆止弁２０は閉状態となっているので、ピストンガイド１１が下降してポンプ機構Ａの動作が開始されると、加圧室１２の内部がピストンガイド１１によって加圧されるとともにピストンガイド１１に装着されたピストン２１が上方に移動して流入孔１１ｃが開かれる。そして、さらにピストンガイド１１が下降すると、加圧室１２の内部の加圧された内容物が流入孔１１ｃからピストンガイド１１の内側の流入室１３に供給され、吐出孔４１ｂから受皿面４１ａに向けて吐出される。吐出孔４１ｂから吐出した内容物Ｌは、固定部４６に設けられた流出溝４７を通ってシート部材３０と受皿面４１ａとの間の隙間Ｓに達し、さらに隙間Ｓ内を内周側から外周側に移動し、シート部材３０の外周端を上方に押し上げてリング状の吐出口４８から受皿面４１ａの上に吐出される。この際には内容物Ｌを吐出口４８の周囲にリング状に吐出させることができる。
【００３８】
受皿面４１ａにリング状に吐出された内容物Ｌは、例えば直接手ですくい取って使用することもできるし、スポンジやパフ等（以下、スポンジ等という）で拭い取って使用することもできる。なお、内容物Ｌをスポンジ等で拭い取る場合には、スポンジ等を受皿面４１ａに向けて押し付けることで受皿本体４１を押し下げ操作することにより、リング状の吐出口４８から吐出された内容物を容易且つ均一にスポンジ等に付着させて内容物の取り出しを容易に行うことができる。
【００３９】
受皿本体４１の押し下げ操作が解除されると、付勢部材１５の弾性力によりピストンガイド１１が図１に示す初期の上昇位置に向けて上方に移動する。このとき、ピストン２１により流入孔１１ｃが閉じられた状態でピストンガイド１１が上昇することになるので、加圧室１２が負圧となって逆止弁２０が開かれ、容器本体２の収容空間７に収容されている内容物が流出孔３ｄから加圧室１２内に向けて流出して加圧室１２に供給される。また、収容空間７から内容物が流出するのに伴って中皿６が容器本体２の内部で上昇し、収容空間７は常に内容物により満たされた伏態に維持される。このとき、中皿６が移動した分だけ、通気孔２ｃから容器本体２の中皿６の下方側部分に外気が導入される。したがって、内容物を吐出しても、容器本体２の収容空間７に空気が流入することがなく、常に、受皿本体４１の押し下げ操作によってピストンガイド１１を効率良くポンプ機構Ａを動作させて内容物を効率良く吐出させることができる。
【００４０】
また内容物の吐出操作が終了すると、吐出口４８はシート部材３０によって閉塞された状態とされる。このように、本発明の受皿付きポンプ容器１では、通常状態においては、吐出口４８をシート部材３０によって確実に閉塞した状態としておき、内容物を吐出するために受皿本体４１が押し下げ操作されたときに吐出口４８が開放させるようにしたので、不使用時に吐出口４８から空気が流入することを防止して、内容物を空気に触れさせることなく収容することができる。これにより、例えば空気に触れることによって固化し易い内容物や、空気に触れることで効能が薄れる内容物などを、吐出不良や内容物の劣化を生じさせることなく、この受皿付きポンプ容器１に収容することができる。
【００４１】
図５は本発明の第２の実施の形態としての受皿付きポンプ容器の要部を拡大して示す断面図、図６は図５の変形例を示す受皿付きポンプ容器の拡大断面図である。なお、図５、図６においては、前述した部材に対応する部材には同一の符号を付してある。
【００４２】
第２の実施の形態に示す受皿付きポンプ容器１が、上述の第１の実施の形態に示す受皿付きポンプ容器１と異なる点は、主にシート部材３０を固定する機構にあり、その他の構成及び効果は上記第１の実施の形態同様であるため、以下においては主に第１の実施の形態と異なる点について説明する。
【００４３】
図５に示すように、第２の実施の形態に示す受皿付きポンプ容器１では、受皿部材４０の上面中央の位置に、上記第１の実施の形態において設けられている固定部４６が設けられておらず、その代わりに保持部材５０が設けられている。
保持部材５０は上部に円盤状からなる保持部５１を有し、この保持部５１の下面中央に支柱部５２が垂下設されている。保持部５１の下面で且つ支柱部５２の基端の周囲には、外周方向に突出する複数の凸部５３が放射状に配置されており、支柱部５２の下端には外径方向に膨らむ膨出部５４が形成されている。
【００４４】
他方、受皿部材４０の中央に穿設された吐出孔４１ｂの上部及び下部の内径は大径の寸法で形成され、中間部の内径は上部及び下部よりも小径の寸法で形成されている。最も細く形成された中間部の吐出孔４１ｂの内周面には、吐出孔４１ｂ内に挿入された支柱部５２の外周面に当接して径方向の位置を規定する複数の規定当接部４１ｃが放射状に突設されている。また最も大径の寸法で形成された上部側の吐出孔４１ｂの内周面には、支柱部５２の凸部５３下端に当接して保持部材５０を支持する段差状の複数の当接支持部４１ｄが放射状に形成されている。
また大径の寸法で形成された吐出孔４１ｂの下部には保持部５１の膨出部５４が挿入されており、吐出孔４１ｂ内からの保持部５１の抜け止め防止が図られている。
【００４５】
そして、周方向に並ぶ規定当接部４１ｃと支柱部５２の外周面と囲まれる部分形成される空間及び凸部５３と規定当接部４１ｃとの間に形成される空間は、ともに内容物の通過が可能な流通路として機能するようになっている。図５では１つの流通路のみが示されるが、規定当接部４１ｃと支柱部５２の間及び凸部５３と規定当接部４１ｃとの間には複数の流通路が設けられている。つまり、内容物は、吐出孔４１ｂと支柱部５２とが対向する部分に周方向に形成される複数の流通路を介して流入室１３から吐出孔４１ｂの外部に吐出されるようになっている。
【００４６】
図５に示すように、第２の実施の形態では、シート部材３０が保持部５１の下面に固定されている。このシート部材３０も肉薄円形状であるが、中央に形成された挿通孔３２内に保持部材５０の支柱部５２を挿入させ、挿通孔３２の周囲の内周端３３を保持部５１の下面に密着させた状態で固定されている。したがって、この実施の形態では、保持部５１の下面がシート部材３０を固定する固定部４６として機能している。なお、シート部材３０の固定方法は上記第１の実施の形態同様である。シート部材３０の外周端３１側は、上記同様に片持ち支持された自由端状態にあって、湾曲凹面状の受皿面４１ａに対しリング状に接することが可能となっている。
なお、図５に示すように、シート部材３０が保持部５１から離脱することを防止すべく、保持部５１と対向する受皿面４１ａ上に凸部４９を環状に形成し、あるいはドット状の凸部４９を周方向に間欠的に形成する構成としても良い。
【００４７】
次に、図６に示す変形例では、保持部材５０が円盤状の保持部５１と、その下面に垂下設された支柱部５２と、支柱部５２の下端に放射状に突設された膨出部５４とを有して構成されている。また受皿部材４０の中央には吐出孔４１ｂが穿設されている。吐出孔４１ｂの内周面には流通路を形成する複数の縦溝４１ｅが周方向に間欠的に形成されている。また吐出孔４１ｂの上面には固定部４６が形成されており、固定部４６にも縦溝４１ｅに連続する流出溝（流通路）４７が放射状に形成されている。図６では、流通路として１つの縦溝４１ｅ及び流出溝４７のみが示されているが、吐出孔４１ｂの内周面及び固定部４６の表面には流通路を構成する複数の縦溝４１ｅ及び流出溝４７が設けられている。
【００４８】
シート部材３０は、上記同様に内周端３３が保持部５１の下面と固定部４６との間に固定されている。シート部材３０の固定方法は、上記同様に接着剤や熱溶着等の手段で固定しても良い。あるいは、図６に一点鎖線で示すように、当初円柱形状であった支柱部５２の上端を吐出孔４１ｂの下方側から挿通した後に、吐出孔４１ｂの上方に突出した支柱部５２の上端を加熱しながら扁平状に押し潰すことにより円盤状の保持部５１とすることができるが、この際にシート部材３０の内周端３３を保持部５１の下面と固定部４６の上面との間に挟み込んで固定することもできる。シート部材３０の外周端３１側は、上記同様に片持ち支持された自由端状態にあって、湾曲凹面状の受皿面４１ａに対しリング状に接することが可能となっている。
【００４９】
図５に示す第２の実施の形態及び図６に示す変形例においても、第１の実施の形態同様に受皿本体４１を下方に押し下げ操作することにより、ピストンガイド１１が作動し、当該ピストンガイド１１、シリンダ１０及びピストン２１によるポンプ機構の動作により、容器本体２の収容空間７に収容されている内容物を吐出孔４１ｂの流通路を介して受皿面４１ａに向けて吐出させることができる。吐出孔４１ｂから吐出した内容物Ｌは、シート部材３０と受皿面４１ａとの間の隙間Ｓに達し、さらに隙間Ｓ内を内周側から外周側に移動するため、上記同様にシート部材３０の外周端を上方に押し上げてリング状の吐出口４８から受皿面４１ａ上にリング状に吐出させることが可能である。
【００５０】
図７は本発明の第３の実施の形態としての受皿付きポンプ容器の要部を拡大して示す断面図、図８は図７に示す受皿付きポンプ容器においてキャップを外した状態を示す平面図である。
【００５１】
図７及び図８に示す本発明の第３の実施の形態としての受皿付きポンプ容器が、上記第１又は第２の実施の形態に示した受皿付きポンプ容器と異なる点は、主として受皿面４１ａを受皿部材４０とは別部材に形成する構成及びシート部材３０の構成等にあり、その他の構成及び効果は上記第１又は第２の実施の形態と同様であるため、以下においては主に上記第１又は第２の実施の形態と異なる点について説明する。
【００５２】
第３の実施の形態としての受皿付きポンプ容器１では、保持部材５０を構成する保持部５１が外径寸法の大きな円盤として形成されており、この保持部５１の表面が受皿面５１ａとされている。受皿面５１ａには、外周端から内周方向に延びる溝部５５が形成されている。この溝部５５は例えば肉薄部をリング状に形成した構成でも良いし、径方向に延びる横溝を周方向に複数配置した構成であっても良い。
【００５３】
また受皿部材４０の受皿本体４１には水平面からなり、保持部材５０の受皿面５１ａを収容する凹部４１Ａが形成されており、凹部４１Ａのさらに外周側には固定部４６が設けられている。凹部４１Ａの上面と受皿面５１ａの下面との間には隙間Ｓ１が形成され、受皿面５１ａの外縁端と凹部４１Ａの内周面との間にも隙間Ｓ２が設けられている。
【００５４】
図８に示すように、シート部材３０は所定の幅寸法を有する肉薄リング状のフィルムシートで形成されている。そして、シート部材３０の外周端３１側は上記同様の手段により固定部４６の表面に固定され、内周端３３側は溝部５５の内周端５５ａよりも軸心Ｏ側の位置で受皿面５１ａの表面に接している。すなわち、第３の実施の形態では、受皿面５１ａの表面とシート部材３０の内周端３３とがリング状に対向する部分が受皿付きポンプ容器１の吐出口４８を構成しており、シート部材３０の内周端３３が受皿面５１ａの表面に接することにより、リング状の吐出口４８が閉塞される仕組みとなっている。なお、シート部材３０の内周端３３以外の下面は受皿面５１ａの溝部５５の底面と空間を介して対向している。
【００５５】
図７に示す構成では、保持部材５０を下方に押し下げ操作すると受皿本体４１が一緒に下降するため、ピストンガイド１１が作動し、当該ピストンガイド１１、シリンダ１０及びピストン２１によるポンプ機構の動作により、容器本体２の収容空間７に収容されている内容物を吐出孔４１ｂの流通路を介して凹部４１Ａに向けて吐出させることができる。吐出孔４１ｂから吐出した内容物Ｌは、凹部４１Ａの上面と受皿面５１ａの下面との間の隙間Ｓ１内を内周側から外周側に向かって移動し、さらに受皿面５１ａの外縁端と凹部４１Ａの内周面との間の隙間Ｓ２を介して受皿面５１ａの上面に達する。受皿面５１ａの上面に達した内容物は、受皿面５１ａの外周端から溝部５５の内部に侵入し、溝部５５内を外周側から内周側に向かって下面側とは逆方向に移動し、溝部５５の内周端５５ａの位置でシート部材３０を持ち上げ、リング状の吐出口４８から受皿面５１ａの表面に吐出される。そして、この際にも内容物Ｌを吐出口４８の周囲にリング状に吐出させることが可能である。
【００５６】
以上、実施の形態に沿って本発明の構成とその作用効果について説明したが、本発明は上記の実施の形態に限定されるものではなく、特許請求の範囲に従う範囲で種々の変更が可能である。
【００５７】
例えば、上記実施の形態においては、シート部材３０として、フィルムシートを示して説明したが、これに限らず、ゴム製のシート材なども使用することができる。
【００５８】
また上記実施の形態においては、円形状又はリング状のシート部材３０を示して説明したが、これに限らず、シート部材３０が受皿面と密着しながら接触することによって、吐出口を閉塞することができる形状であれば、種々の形状とすることもできる。
【００５９】
さらに上記実施の形態においては、容器本体２内に中皿６を有する場合を示して説明したが、これに限らず、中皿６を用いずに、容器本体２を内容物を収容する内層体を外層体の内部に収容した２層構造に形成し、内容物の吐出時に、底部２ａに設けた通気孔から外層体と内層体との間に外気を取り入れて内層体のみを収縮させるようにした二重容器や積層剥離容器を用いることもできる。
【産業上の利用可能性】
【００６０】
本発明の受皿付きポンプ容器は、吐出口からの空気の流入を確実に防止でき、内容物を空気に触れさせることなく収容することができる、受皿付きポンプ容器として広い分野での適用を可能とすることができる。
【符号の説明】
【００６１】
１      ：  受皿付きポンプ容器
２      ：  容器本体
２ａ    ：  底部
２ｂ    ：  側壁部
２ｃ    ：  通気孔
２ｄ    ：  雄ねじ部
３      ：  隔壁部材
３ａ    ：  隔壁本体
３ｂ    ：  装着筒部
３ｃ    ：  段部
３ｄ    ：  流出孔
４      ：  環状シール
５      ：  固定部材
５ａ    ：  Ｕ字状部
５ｂ    ：  雌ねじ部
６      ：  中皿
６ａ    ：  シール部
７      ：  収容空間
１０    ：  シリンダ
１１    ：  ピストンガイド
１１ａ  ：  加圧壁部
１１ｂ  ：  側壁部
１１ｃ  ：  流入孔
１２    ：  加圧室
１３    ：  流入室
１５    ：  付勢部材
１６    ：  支持筒部
２０    ：  逆止弁
２０ａ  ：  基部
２０ｂ  ：  連結片
２０ｃ  ：  円板状の弁体
２１    ：  ピストン
２２    ：  規制部材
３０    ：  シート部材
３１    ：  外周端
３２    ：  挿通孔
３３    ：  内周端
４０    ：  受皿部材
４１    ：  受皿本体
４１Ａ  ：  凹部
４１ａ  ：  受皿面
４１ｂ  ：  吐出孔
４１ｃ  ：  規定当接部
４１ｄ  ：  当接支持部
４１ｅ  ：  縦溝（流通路）
４２    ：  ガイド壁
４２ａ  ：  係止突起
４３    ：  環状係止部
４４    ：  係合部
４５    ：  支持壁
４６    ：  固定部
４７    ：  流出溝（流通路）
４８    ：  吐出口
４９    ：  凸部
５０    ：  保持部材
５１    ：  保持部
５１ａ  ：  受皿面
５２    ：  支柱部
５３    ：  凸部
５４    ：  膨出部
５５    ：  溝部
５５ａ  ：  溝部の内周端
Ａ      ：  ポンプ機構
Ｃ      ：  キャップ
【図１】
0006541514.tif 000002
【図２】
0006541514.tif 000003
【図３】
0006541514.tif 000004
【図４】
0006541514.tif 000005
【図５】
0006541514.tif 000006
【図６】
0006541514.tif 000007
【図７】
0006541514.tif 000008
【図８】
0006541514.tif 000009